(57)【要約】【課題】  椅子に着座した際における座面高とあわないことに起因する足へのストレスの緩和に有用なフットレストを提供する。【解決手段】  足乗せ基体２の四隅近傍に、足乗せ基体側滑り止部材５ａを配設し、足乗せ天板３を足乗せ基体２上に傾斜状態で設ける。  前記台枠部４は、板部材４ｂ、４ｃで構成し、持ち運びのための手掛り穴６を設ける。また台枠部４の上端四隅には、前記足乗せ基体側滑り止部材５ａを嵌合する嵌合穴７を設ける一方、下端部側の四隅には、台枠部側滑り止部材５ｂを設ける。さらに、前記台枠部４を構成する板部材４ｂ、４ｃのうち、板部材４ｂの内側面に、前記足乗せ基体２を台枠部４上に積み重ね状態で保持する係合突縁部材８を設ける。  以上のような台枠部４を複数備えることで、台枠部４を積み上げて足乗せ天板３の支持高さを調節する。【選択図】              図７
0003107456.tif 000002
【実用新案登録請求の範囲】
【請求項１】
足裏を乗せる足乗せ天板を頂部に設けた足乗せ基体と、この足乗せ基体の底部端近傍適所に足乗せ基体側滑り止部材を設けて、この足乗せ基体側滑り止部材を位置決め手段として前記足乗せ基体を積み重ねて前記足乗せ天板の支持高さを調節する台枠部とを備え、前記足乗せ基体頂部の高さ寸法を一端側と他端側とで異ならせて、前記足乗せ天板を傾斜状態で設ける構成とし、前記台枠部側部に持ち運びのための手掛り穴を設け、前記台枠部の上端部に、前記足乗せ基体底部の足乗せ基体側滑り止部材と対応して前記足乗せ基体側滑り止部材を嵌合する嵌合穴を設ける一方、前記台枠部の下端部適所に台枠部側滑り止部材を設けると共に、前記足乗せ基体と台枠部とを結合して積み重ね保持するための係合突縁部材を設けたことを特徴とするフットレスト。
【請求項２】
前記足乗せ基体頂部に前記足乗せ天板を開閉可能に蝶着し、足乗せ基体内を小物入れ収容部として構成したことを特徴とする請求項１記載のフットレスト。
【請求項３】
前記足乗せ天板に、足裏の滑りを阻止する表面材を変更可能に装着する構成としたことを特徴とする請求項１、２記載のうちいずれか１記載のフットレスト。
【考案の詳細な説明】
【技術分野】
【０００１】
本考案は、椅子に着座した際における座面高とあわないことに起因する足へのストレスの緩和に有用なフットレストに関するものである。
【背景技術】
【０００２】
高齢化社会に突入した現在、介護保険制度の創設を見ることができ、介護保険の通所介護施設は、全国に数多く設立され、多くの要介護認定者が利用するに至っている。
上記施設では、利用者の食事、コミュニケーションを意識したり、リハビリテーション用レクリェーションを行うため、大テーブルで、車椅子利用者と椅子利用者が一緒に使用している。
【考案の開示】
【考案が解決しようとする課題】
【０００３】
しかしながら、前記テーブルで使用される椅子Ｃは、平均的身長の高齢者を対象として設定された座面高Ｈsのものを採用しており（図１１参照）、この椅子Ｃの座面高Ｈsでは、一部の施設利用者は床に足が付かない状態での座位姿勢を余儀なくされ、その利用者に対して苦痛をもたらしている。
そしてこのような状況が放置されているのが現状であるが、これは、施設における介護従事者や利用者の、座面高Ｈsがもたらす影響に対する認識不足から来ているものと思われる。
例えば、椅子Ｃの座面高Ｈsが膝下高さＨkより高い椅子Ｃに着座した場合、臀部は鈍感であるが、膝裏は敏感なため、椅子Ｃの座部Ｓ前方端部が膝裏に当たると、圧迫感から快適性を損なうこととなっている。
【０００４】
なお、椅子に座った状態で使用するというものとして、
【特許文献１】実開平７−２８４５９号公報がある。  この文献における足乗せ台は、椅子に座った状態で足の疲労を軽減するというもので、そのために、自然石を素材として、足乗せ台の表面部分に足を乗せる湾曲面状の載置部を形成し、この載置部の裏面部分に設置面に設置するための平坦部を形成するようにしている。  これによって、載置部に足の裏を乗せて刺激し、その指圧効果により、足の疲労を軽減できるとしている。  しかしながら、この足乗せ台は、足裏を乗せて、誰もが椅子Ｃの座部Ｓ前方端部が膝裏に当たらないようにして、圧迫感を軽減するというものではない。  本考案は、以上のような背景から提案されたものであって、足裏を乗せて、足を持ち上げた状態で支えることで、椅子の座部前方端部から及ぼされる膝裏部への圧迫を軽減し、快適な座位姿勢をもたらすことが可能なフットレストを提供することを目的とする。
【課題を解決するための手段】
【０００５】
前記した課題を達成するために、本考案では、請求項１において、足裏を乗せる足乗せ天板を頂部に設けた足乗せ基体と、この足乗せ基体の底部端近傍適所に足乗せ基体側滑り止部材を設けて、この足乗せ基体側滑り止部材を位置決め手段として前記足乗せ基体を積み重ねて前記足乗せ天板の支持高さを調節する台枠部とを備え、前記足乗せ基体頂部の高さ寸法を一端側と他端側とで異ならせて、前記足乗せ天板を傾斜状態で設ける構成とし、前記台枠部側部に持ち運びのための手掛り穴を設け、前記台枠部の上端部に、前記足乗せ基体底部の足乗せ基体側滑り止部材と対応して前記足乗せ基体側滑り止部材を嵌合する嵌合穴を設ける一方、前記台枠部の下端部適所に台枠部側滑り止部材を設けると共に、前記足乗せ基体と台枠部とを結合して積み重ね保持するための係合突縁部材を設けたフットレストを提案する。
さらに本考案では、請求項３において、前記足乗せ天板に、足裏の滑りを阻止する表面材を変更可能に装着する構成としたフットレストを提案する。
【考案の効果】
【０００６】
座面高が合わない椅子でも、フットレストにより足裏を乗せて高くした状態に支えることで、椅子の座部前方端部から及ぼされる膝裏部への圧迫を軽減し、快適な座位姿勢をもたらすことが可能となる。しかも前記フットレストは、使用者に応じて高さを調節できるので、施設などで使用される椅子は、様々な規格のものを用意しなくても、大多数の利用者に対応することができ、設備費を抑えることができる。
【０００７】
請求項１によれば、足乗せ基体頂部に設けた足乗せ天板に足裏を乗せることで、足全体が持ち上がった状態となる。足乗せ基体底部に設けた足乗せ基体側滑り止部材によって、滑ることなく床面に置いて使用することができる。その際、足裏を乗せる足乗せ天板が傾斜しているので、足裏を乗せやすく、座位姿勢がより安定する。
もし必要であれば、足乗せ天板を支持する足乗せ基体底部の足乗せ基体側滑り止部材を、台枠部上端部の嵌合穴に嵌合させて、前記足乗せ基体を台枠部上に積み重ね、足乗せ天板の支持高さを調節することができる。その際、台枠部における係合突縁部材により、足乗せ基体と台枠部とを結合して積み重ね保持することができる。
【０００８】
請求項２によれば、足乗せ天板を持ち上げて開き、足乗せ基体の小物入れ収容部に身の回りの小物を入れておくことができる。
【０００９】
請求項３によれば、足乗せ天板に、靴下をはいた状態でも、素足でも、あるいはスリッパをはいた状態でも、それぞれ滑らないように足を乗せておくことができる。
【考案を実施するための最良の形態】
【００１０】
以下、本考案にかかるフットレストについて、一つの実施の形態を挙げ、添付の図面に基づいて説明する。
図１〜図４にフットレスト１を示す。このフットレスト１は、足乗せ基体２とこの足乗せ基体２頂部に設けた、足裏を乗せる足乗せ天板３と、この足乗せ基体２を積み重ねて前記足乗せ天板３の支持高さを調節する台枠部４とを備えている。
【００１１】
前記足乗せ基体２は、隅角部内側に補強材２ａを介して厚さの等しい板部材２ｂ、２ｃを、周知の固定手段で、方形状に構成した枠体からなる。この足乗せ基体２底部の四隅近傍には、適宜な弾性材で構成した小円形突部状の足乗せ基体側滑り止部材５ａを配設している。
また、前記足乗せ基体２を構成する板部材２ｂ、２ｃには、長い方の板部材２ｂ、２ｂは、片方の幅寸法を他方に比較して小とし、短い方の板部材２ｃ、２ｃは互いに同寸法のものを用いることで、枠体頂部の高さ寸法を一端側と他端側とで異ならせて、前記足乗せ天板３を足乗せ基体２上に傾斜状態で設ける構成としている。
【００１２】
前記足乗せ天板３は、足裏を乗せやすくするために、縦寸法に比較して横寸法を長く設定した、横長の長方形状のもので、前記足乗せ基体２における板部材２ｂ、２ｃ頂部に装着した際、周縁部が板部材２ｂ、２ｃ周縁部より若干張り出している。なお、前記足乗せ天板３の上面は平滑な面でもよく、また凹凸面でも、滑り止め用の条を有する面でもよい。平滑な面としたときには、後述するが適宜な素材の滑り止めシートを設けることができる。
【００１３】
次に、前記台枠部４を説明する。台枠部４は、図３、図４に示すように足乗せ基体２を構成する板部材２ｂ、２ｃと同じ厚さで、長さ寸法がそれぞれ同寸法の板部材４ｂ、４ｃで構成する枠体からなる。なお、この台枠部４においても、板部材４ｂ、４ｃで枠体を構成する際も、隅角部内側にそれぞれ補強材４ａを介して構成している。
【００１４】
このような構成の台枠部４において、前記板部材４ｂ、４ｃのうち、例えば短い長さ寸法の板部材４ｃ側に、持ち運びのための手掛り穴６を設けている。この手掛り穴６は手指が掛けられる構成のものであれば周知の構成のものでよいが、この実施例においては、図示するように、前記板部材４ｃ中央箇所に、長さ方向に貫通形成した長穴状のもので、手指が容易に差し入れることができるようになっている。
【００１５】
また、前記板部材４ｂ、４ｃによる枠体の上端部の四隅には、前記足乗せ基体２底部の足乗せ基体側滑り止部材５ａと対応して前記足乗せ基体側滑り止部材５ａを嵌合する嵌合穴７を設けている。これによって、前記足乗せ基体側滑り止部材５ａが嵌合穴７と嵌合することで位置決め手段として前記足乗せ基体２の底部を前記台枠部４上に積み重ねるようにしている。
一方、前記台枠部４の下端部側の四隅には、前記足乗せ基体２底部における足乗せ基体側滑り止部材５ａと同構成の台枠部側滑り止部材５ｂを設けて、台枠部４の下端部側を、前記台枠部側滑り止部材５ｂを介して床面に置くことができるようにしている。
【００１６】
さらに、前記板部材４ｂ、４ｃのうち、長い長さ寸法の板部材４ｂの内側面には、積み重ねるべき前記足乗せ基体２における板部材２ｂ、２ｃの板部材２ｂ内側面に沿って嵌入することで、前記足乗せ基体２と台枠部４とが結合して積み重ね状態で保持するための係合突縁部材８を設けている。
そして、以上のような構成の台枠部４を複数備えることで、足乗せ基体２に対し、例えば図５、図６に示すように、２個の台枠部４を積み上げることで、足乗せ基体２上の足乗せ天板３の支持高さを所望の高さに調節できるようにしている。なお、異なる高さの台枠部４を複数用意すれば、例えば図９に示すように、一層、細かく、基体２上の足乗せ天板３の支持高さを調整できる。
【００１７】
以上のようなフットレスト１において、介護施設のテーブルで使用される椅子Ｃに、平均的身長の高齢者が座る場合は、椅子Ｃの座面高Ｈsがその高齢者の膝下高さＨkより低いので、椅子Ｃの座部Ｓ前方端部が膝裏に当たることはなく、そのまま問題なく、座り続けることができる（図１１参照）。
【００１８】
一方、前記椅子Ｃに平均的身長より低い高齢者が座る場合は、椅子Ｃの座面高Ｈsが膝下高さＨkより高いので、その高齢者は、図９の二点鎖線で示すように、前記椅子Ｃの座面高Ｈsでは、床に足が付かない状態での座位姿勢を強いられ、前記椅子Ｃの座部Ｓ前方端部が膝裏に当たり、圧迫感から座り続けることがつらい状態となる。
このような場合に、その高齢者の膝下の脛から足先を、前記フットレスト１を用いることで床面から持ち上げた状態で支えれば、椅子Ｃの座部Ｓ前方端部が膝裏に当たることはなくなり、前記高齢者は、膝裏に対する圧迫感から開放され、座り続けることができるようになる。
【００１９】
そこで、座る椅子Ｃの足元の床面に、足乗せ天板３を頂部に設けた足乗せ基体２を置く。この足乗せ基体２は底部に設けた足乗せ基体側滑り止部材５ａによって、滑ることなく床面に置いて使用することができる。
そしてこのような足乗せ基体２頂部の足乗せ天板３に足裏を乗せることで、膝下の脛から足先が持ち上がった状態となる。これによって、その高齢者の膝下高さＨkが椅子Ｃの座面高Ｈsより高くなれば、椅子Ｃの座部Ｓ前方端部が膝裏に当たることはなくなり、前記高齢者は、膝裏に対する圧迫感から開放され、座り続けることができるようになる。なお、その際、足裏を乗せる足乗せ天板３が傾斜しているので、足裏を乗せやすく、座位姿勢がより安定する。
【００２０】
もし、前記足乗せ天板３を頂部に設けた足乗せ基体２を用いても、椅子Ｃの座面高Ｈsが膝下高さＨkより高い場合は、前記足乗せ基体２を台枠部４上に積み重ねて、足乗せ天板３の支持高さを調節することとなる。
この際、足乗せ天板３を支持する足乗せ基体２底部の足乗せ基体側滑り止部材５ａを、位置決め手段として台枠部４上端部四隅の嵌合穴７に嵌合させて、前記足乗せ基体２底部を台枠部４上に積み重ね、足乗せ天板３の支持高さを調節することができる（図７参照）。
このとき、台枠部４側の、長い長さ寸法の板部材４ｂの内側面に設けた係合突縁部材８が、前記足乗せ基体２における板部材２ｂ内側面に沿って嵌入する一方、足乗せ基体２底部の足乗せ基体側滑り止部材５ａが、台枠部４上端部四隅の嵌合穴７に嵌合することで、前記足乗せ基体２と台枠部４とががたつくことなく結合して積み重ね状態で保持することができる。なお、前記台枠部４の下端部側の四隅にも、台枠部側滑り止部材５ｂを設けてあるので、台枠部４の下端部側を、台枠部側滑り止部材５ｂを介して床面に置き、床面上で滑ることなく使用することができる（図８参照）。
【００２１】
それでも足乗せ天板３の支持高さが不足して、椅子Ｃの座部Ｓ前方端部が膝裏に当たるようであれば、上記台枠部４をさらに追加して、台枠部４と台枠部４とを結合して、足乗せ基体２をこれら台枠部４上に積み上げることで、足乗せ基体２上の足乗せ天板３の支持高さを高く調節すればよい（図５、図６、図７、図８、図９参照）。
【００２２】
そして、このようなフットレスト１を持ち運びする際は、台枠部４に設けた手掛り穴６に手指を差し入れて使用し、足乗せ天板３を支持する足乗せ基体２と台枠部４とを積み重ねた状態でばらけることなく持ち運びすることができる。
【００２３】
以上、本考案にかかるフットレスト１について、一つの実施の形態を挙げ、説明したが、以下のように構成することもできる。すなわちこの場合のフットレスト１では、図１０に示すように、足乗せ基体２頂部に前記足乗せ天板３を蝶番９で開閉可能に蝶着し、足乗せ基体２内を小物入れ収容部として構成している。この場合、前記蝶番９を設けた板部材２ｂと対向する板部材２ｂの頂部両端には、前記足乗せ天板３を閉じたときに受け止める受部材１０、１０を設けている。
また、前記足乗せ基体２の底部には、底板１１を設けて、箱状に形成している。
さらに、足乗せ基体２を構成する板部材２ｂ、２ｃの幅寸法を、図１に示す足乗せ基体２に比較して大きくし、小物入れ収容部としての深さを確保するようにしている。
なお、この足乗せ基体２底部の四隅近傍には、図１で示すフットレスト１同様、適宜な弾性材で構成した小円形突部状の足乗せ基体側滑り止部材５ａを設けている。
【００２４】
このようなフットレスト１によれば、足乗せ天板３を持ち上げて開き、足乗せ基体２内側空間に身の回りの小物を入れておくことができ、一層、使い勝手が向上する。
【００２５】
さらに本考案では、前記足乗せ天板３に、足裏の滑りを阻止する表面材１２を変更可能に装着する構成とすることもできる。この表面材１２としては、ゴムシート、ウレタンシート、フェルト地等の不織シート、異種の素材で構成したものを、貼り替え可能としている（図１参照）。
【００２６】
このようなフットレスト１によれば、足乗せ天板３に、靴下をはいた状態でも、素足でも、あるいはスリッパをはいた状態でも、それぞれ滑らないように足を乗せておくことができる。
また、このように表面材１２を貼り替え可能とすれば、汚れた際に表面材１２を取り換えることで、常に快適に使用することができる。
【図面の簡単な説明】
【００２７】
【図１】本考案にかかるフットレストにおける足乗せ基体上の足乗せ天板の一つの実施態様を示す、斜め上方から見た斜視図である。
【図２】図１に示すフットレストにおける足乗せ基体上の足乗せ天板の斜め下方から見た斜視図である。
【図３】本考案にかかるフットレストを構成する台枠部の、斜め上方から見た斜視図である。
【図４】図３に示す台枠部の、斜め下方から見た斜視図である。
【図５】本考案にかかるフットレストにおいて、台枠部を二段積み上げた場合の斜視説明図である
【図６】図５に示すフットレストの一側面図である。
【図７】図５に示すフットレストの分解斜視説明図である。
【図８】図５に示すフットレストにおいて、台枠部の積み重ね状態を説明するための断面説明図である。
【図９】椅子使用者がフットレストを利用していないときと、利用するときの状態を示した、側面説明図である。
【図１０】本考案にかかるフットレストの他の実施態様を示した斜視図である。
【図１１】椅子使用者の座位姿勢を説明するための側面説明図である。
【符号の説明】
【００２８】
１                        フットレスト
２                        足乗せ基体
２ａ                      補強材
２ｂ、２ｃ                板部材
３                        足乗せ天板
４                        台枠部
４ａ                      補強材
４ｂ、４ｃ                板部材
５ａ                      足乗せ基体側滑り止部材
５ｂ                      台枠部側滑り止部材
６                        手掛り穴
７                        嵌合穴
８                        係合突縁部材
９                        蝶番
１０                      受部材
１１                      底板
Ｃ                        椅子
Ｓ                        座部
【図１】
0003107456.tif 000003
【図２】
0003107456.tif 000004
【図３】
0003107456.tif 000005
【図４】
0003107456.tif 000006
【図５】
0003107456.tif 000007
【図６】
0003107456.tif 000008
【図７】
0003107456.tif 000009
【図８】
0003107456.tif 000010
【図９】
0003107456.tif 000011
【図１０】
0003107456.tif 000012
【図１１】
0003107456.tif 000013